(57)【特許請求の範囲】
【請求項１】
テラヘルツ周波数帯に固有振動周波数を有する物質が組み込まれた認証用可搬媒体に対してテラヘルツ波を照射し、スペクトルを測定して、測定結果である測定スペクトルを出力する測定部と、
前記物質の固有スペクトルが記録された固有スペクトルデータベースと、
前記測定スペクトルと前記固有スペクトルに基づいて、前記認証用可搬媒体に組み込まれている物質を判別し、判別結果を出力する判別部と、
認証用可搬媒体に組み込まれている物質の組合せが記録された認証データベースと、
前記判別結果によって前記認証用可搬媒体に組み込まれていると特定された物質の組合せが前記認証データベースに記録されている場合に、認証信号を出力する認証部と、
前記認証用可搬媒体の保持者に対してテラヘルツ波を二次元的に走査しながら照射し、スペクトルの二次元分布を測定して、測定結果である第２の測定スペクトル二次元分布を取得すると共に、前記第２の測定スペクトル二次元分布に基づいて前記保持者の携帯する物質の形状を示す二次元画像を作成するイメージング部と、
前記イメージング部によって作成された前記二次元画像と照合するための照合画像を格納する画像データベースと、
前記イメージング部によって作成された前記二次元画像を前記画像データベース内の前記照合画像と照合し、照合結果を出力する画像照合部と、を含み、
前記照合結果に基づいて、前記認証部は、前記保持者に対する認証を行う、
ことを特徴とする認証システム。
【請求項２】
テラヘルツ周波数帯に固有振動周波数を有する物質が組み込まれた認証用可搬媒体に対してテラヘルツ波を二次元的に走査しながら照射し、スペクトルの二次元分布を測定して、測定結果である第１の測定スペクトル二次元分布を出力する測定部と、
前記物質の固有スペクトルが記録された固有スペクトルデータベースと、
前記第１の測定スペクトル二次元分布と前記固有スペクトルに基づいて、前記認証用可搬媒体に組み込まれている物質を判別し、判別結果を取得すると共に前記判別結果により特定した物質間の二次元位置関係の順列を判断し、判断結果を出力する判別部と、
認証用可搬媒体に組み込まれている物質の順列が記録された認証データベースと、
前記判断結果によって前記認証用可搬媒体に組み込まれていると特定された物質の順列が前記認証データベースに記録されている場合に、認証信号を出力する認証部と、
を含む認証システム。
【請求項３】
テラヘルツ周波数帯に固有振動周波数を有する物質が組み込まれた認証用可搬媒体に対してテラヘルツ波を二次元的に走査しながら照射し、スペクトルの二次元分布を測定して、測定結果である第１の測定スペクトル二次元分布を出力する測定部と、
前記物質の固有スペクトルが記録された固有スペクトルデータベースと、
前記第１の測定スペクトル二次元分布と前記固有スペクトルに基づいて、前記認証用可搬媒体に組み込まれている物質を判別し、判別結果を取得すると共に前記判別結果により特定した物質間の二次元位置関係の順列を判断し、判断結果を出力する判別部と、
認証用可搬媒体に組み込まれている物質の順列が記録された認証データベースと、
前記判断結果によって前記認証用可搬媒体に組み込まれていると特定された物質の順列が前記認証データベースに記録されている場合に、認証信号を出力する認証部と、
前記認証用可搬媒体の保持者に対してテラヘルツ波を二次元的に走査しながら照射し、スペクトルの二次元分布を測定して、測定結果である第２の測定スペクトル二次元分布を取得すると共に、前記第２の測定スペクトル二次元分布に基づいて前記保持者の携帯する物質の形状を示す二次元画像を作成するイメージング部と、
前記イメージング部によって作成された前記二次元画像と照合するための照合画像を格納する画像データベースと、
前記イメージング部によって作成された前記二次元画像を前記画像データベース内の前記照合画像と照合し、照合結果を出力する画像照合部と、を含み、
前記照合結果に基づいて、前記認証部は、前記保持者に対する認証を行う、
ことを特徴とする認証システム。
【発明の詳細な説明】
【技術分野】
【０００１】
本発明は、テラヘルツ周波数帯の電磁波（テラヘルツ波）を利用する技術に係り、特に認証システム及び認証用可搬媒体に関する。
【背景技術】
【０００２】
従来、テラヘルツ波を利用して例えば封筒やプラスチック容器等の密閉された容器内に収納されている物質の判別を行う技術が、例えば特許文献１，２に記載されている。特許文献１記載の従来技術では、予め物質の基準スペクトルを計測しておき、被検査物にテラヘルツ波を照射した後の出力波から基準スペクトルを持つ物質が含まれているか判定する。特許文献２記載の従来技術では、テラヘルツ波を被検査物に二次元的に走査して被検査物の吸光度のスペクトルの二次元分布を計測し、予め計測したターゲットの吸光度のスペクトルと被検査物の吸光度のスペクトルの二次元分布とからターゲット濃度の二次元分布を算出し、ターゲット濃度の二次元分布を二次元的に画像表示することにより、ターゲットの形状を二次元的に画像表示する。
【特許文献１】特開２００５−１１４４１３号公報
【特許文献２】特開２００４−２８６７１６号公報
【発明の開示】
【発明が解決しようとする課題】
【０００３】
しかし、上述した従来技術では、テラヘルツ波を利用して物質の判別を行うことや物質の形状を二次元的に画像表示することにとどまり、その結果から何らかの他の装置を制御することはできない。
【０００４】
本発明は、このような事情を考慮してなされたもので、その目的は、テラヘルツ波を利用して物質の判別を行い、その結果から他の装置を制御することができる認証システム及び認証用可搬媒体を提供することにある。
【課題を解決するための手段】
【０００５】
上記の課題を解決するために、本発明の第１の実施態様に係る認証システムは、テラヘルツ周波数帯に固有振動周波数を有する物質が組み込まれた認証用可搬媒体に対してテラヘルツ波を照射し、スペクトルを測定して、測定結果である測定スペクトルを出力する測定部と、前記物質の固有スペクトルが記録された固有スペクトルデータベースと、前記測定スペクトルと前記固有スペクトルに基づいて、前記認証用可搬媒体に組み込まれている物質を判別し、判別結果を出力する判別部と、認証用可搬媒体に組み込まれている物質の組合せが記録された認証データベースと、前記判別結果によって前記認証用可搬媒体に組み込まれていると特定された物質の組合せが前記認証データベースに記録されている場合に、認証信号を出力する認証部と、を含む。
【０００６】
本発明の第２の実施態様に係る認証用可搬媒体は、テラヘルツ周波数帯に固有振動周波数を有する物質が組み込まれたことを特徴とする。
【０００７】
本発明の第３の実施態様に係る認証システムは、テラヘルツ周波数帯に固有振動周波数を有する物質が組み込まれた認証用可搬媒体に対してテラヘルツ波を二次元的に走査しながら照射し、スペクトルの二次元分布を測定して、測定結果である第１の測定スペクトル二次元分布を出力する測定部と、前記物質の固有スペクトルが記録された固有スペクトルデータベースと、前記第１の測定スペクトル二次元分布と前記固有スペクトルに基づいて、前記認証用可搬媒体に組み込まれている物質を判別し、判別結果を取得すると共に前記判別結果により特定した物質間の二次元位置関係の順列を判断し、判断結果を出力する判別部と、認証用可搬媒体に組み込まれている物質の順列が記録された認証データベースと、前記判断結果によって前記認証用可搬媒体に組み込まれていると特定された物質の順列が前記認証データベースに記録されている場合に、認証信号を出力する認証部と、を含む。
【０００８】
本発明の第４の実施態様に係る認証用可搬媒体は、テラヘルツ周波数帯に固有振動周波数を有する物質が順列をもって組み込まれたことを特徴とする。
【０００９】
本発明に係る認証システムにおいては、前記認証信号に応じて動作する被制御装置をさらに含んでもよい。
【００１０】
本発明に係る認証システムにおいては、前記認証用可搬媒体の保持者に対してテラヘルツ波を二次元的に走査しながら照射し、スペクトルの二次元分布を測定して、測定結果である第２の測定スペクトル二次元分布を取得すると共に、前記第２の測定スペクトル二次元分布に基づいて前記保持者の携帯する物質の形状を示す二次元画像を作成するイメージング部と、前記イメージング部によって作成された前記二次元画像と照合するための照合画像を格納する画像データベースと、前記イメージング部によって作成された前記二次元画像を前記画像データベース内の前記照合画像と照合し、照合結果を出力する画像照合部と、をさらに含み、前記照合結果に基づいて、前記認証部は、前記保持者に対する認証を行ってもよい。
【００１１】
本発明に係る認証システムにおいては、コマンドに従って動作する被制御装置がどのような動作を行うのかを示すアクション情報を格納するアクションデータベースと、前記アクションデータベースから前記認証信号に応じた適用アクション情報を検索し、前記適用アクション情報に対応するコマンドを前記被制御装置へ送信するコマンド発信部と、をさらに含んでもよい。
【発明の効果】
【００１２】
本発明によれば、テラヘルツ波を利用して認証用可搬媒体に組み込まれた物質を判別し、その判別により特定した物質の組合せ又は順列によって認証を行い、認証信号を出力する。これにより、その認証信号によって他の装置を制御することが可能になる。
【発明を実施するための最良の形態】
【００１３】
以下、図面を参照し、本発明の実施形態について説明する。
【００１４】
［第１実施形態］
図１は、本発明の第１実施形態に係る認証システムの構成を示すブロック図である。図１において、認証システムは、テラヘルツ認証カード１、測定部２、固有スペクトルデータベース３、判別部４、認証データベース５及び認証部６を備える。被制御装置１００は、本認証システムの認証結果に応じて動作する装置である。
【００１５】
図２は、図１に示すテラヘルツ認証カード１の構成を示す平面図である。図２において、テラヘルツ認証カード１は、カード本体１ａとカード本体１ａ内に組み込まれた物質とから構成される。カード本体１ａは、テラヘルツ周波数帯の電磁波（テラヘルツ波）を透過する材質である。テラヘルツ波を透過する材質としては、例えば、紙、プラスチック、ゴム、ビニール、木材、繊維、セラミックなどが挙げられる。カード本体１ａ内に組み込まれた物質は、テラヘルツ周波数帯に固有振動周波数を有する。図２の例では、５種類の物質Ａ，Ｂ，Ｃ，Ｄ，Ｅがカード本体１ａ内に組み込まれている。テラヘルツ周波数帯に固有振動周波数を有する物質は、テラヘルツ周波数帯に固有スペクトル（吸収スペクトル）を有する。物質に固有の吸収スペクトルは指紋スペクトルと称される。
【００１６】
図３は、図１に示す測定部２の構成を示すブロック図である。図３において、測定部２は、カード装着部２１、テラヘルツ波発生部２２、テラヘルツ波検出部２３及びスペクトル算出部２４を有する。
カード装着部２１は、テラヘルツ認証カード１の装着場所を有し、該装着場所にテラヘルツ認証カード１が装着されたことを検知する。カード装着部２１は、テラヘルツ認証カード１が所定の装着場所に装着されたことを検知すると、検知信号を出力する。
【００１７】
テラヘルツ波発生部２２は、カード装着部２１から検知信号を受け取ると、図１に示すようにテラヘルツ波２０１を装着場所に在るテラヘルツ認証カード１に向けて照射する。テラヘルツ波発生部２２は、予め定められた複数の周波数のテラヘルツ波２０１を順番に発生し所定期間ずつ照射する。テラヘルツ波２０１の周波数としては、テラヘルツ認証カード１に組み込まれた物質の固有振動周波数を少なくとも含むようにする。物質の固有振動周波数は、事前に測定しておく。テラヘルツ波発生部２２は、テラヘルツ波２０１を照射中であることをテラヘルツ波検出部２３に通知する。
【００１８】
テラヘルツ波検出部２３は、テラヘルツ波発生部２２から照射されたテラヘルツ波２０１がテラヘルツ認証カード１を透過した透過波を検出する。若しくは、テラヘルツ波検出部２３は、テラヘルツ波発生部２２から照射されたテラヘルツ波２０１がテラヘルツ認証カード１で反射した反射波を検出する。テラヘルツ波検出部２３は、テラヘルツ波発生部２２がテラヘルツ波２０１を照射中の期間においてテラヘルツ波を検出し、検出した信号をスペクトル算出部２４へ出力する。
【００１９】
スペクトル算出部２４は、テラヘルツ波検出部２３から受け取ったテラヘルツ波検出信号に基づいてスペクトルを算出する。スペクトル算出部２４は、算出したスペクトル（以下、測定スペクトルと称する）を判別部４に渡す。
【００２０】
説明を図１に戻す。
図１において、固有スペクトルデータベース３には、テラヘルツ認証カード１に組み込まれた物質毎に、固有スペクトルが記録されている。物質の固有スペクトルは、事前に測定し、データベース化しておく。
【００２１】
判別部４は、測定部２から測定スペクトルを受け取ると、固有スペクトルデータベース３中の固有スペクトルに基づいて、測定スペクトル中に含まれる物質を判別し特定する。判別部４は、その特定した物質の全て（特定物質の組合せ）を認証部６に通知する。
【００２２】
認証データベース５には、テラヘルツ認証カード１に組み込まれた物質の組合せが記録されている。図４に認証データベース５の構成例が示されている。図４の例では、例えば、「物質Ａ，Ｂ，Ｃ，Ｄ，Ｅ」、「物質Ａ，Ｃ，Ｄ，Ｆ，Ｇ」、「物質Ｂ，Ｃ，Ｆ，Ｇ，Ｈ」などの組合せが記録されている。
【００２３】
認証部６は、判別部４から特定物質の組合せが通知されると、認証データベース５を検索する。そして、認証部６は、判別部４から通知された特定物質の組合せが認証データベース５に記録されている場合に、認証信号２０２を被制御装置１００に出力する。被制御装置１００は、認証信号２０２を受け取ると、所定の動作を開始する。
【００２４】
被制御装置１００としては、例えば、ドア開閉装置、ドアロック装置などが挙げられる。ドア開閉装置は、認証信号２０２を受け取ると、ドアの開閉を行う。ドアロック装置は、認証信号２０２を受け取ると、ドアのロック又はロック解除を行う。
【００２５】
なお、認証データベース５には、図５に示すように、テラヘルツ認証カード１に組み込まれた物質の組合せとともにその組合せ毎にユーザ識別情報（ユーザＩＤ）を記録するようにしてもよい。認証部６は、判別部４から通知された特定物質の組合せが認証データベース５に記録されている場合に、当該特定物質の組合せに対応付けられているユーザＩＤを認証データベース５から読み出して認証信号２０２と共に被制御装置１００へ出力する。被制御装置１００は、認証信号２０２及びユーザＩＤを受け取ると、当該ユーザＩＤを対象にした所定の動作を開始する。この被制御装置１００としては、例えば、クレジット決済装置、セキュリティチェック装置などが挙げられる。クレジット決済装置は、認証信号２０２及びユーザＩＤを受け取ると、該ユーザＩＤを対象にしたクレジット決済処理を開始する。セキュリティチェック装置は、認証信号２０２及びユーザＩＤを受け取ると、該ユーザＩＤを対象にしたセキュリティチェック処理を開始する。
【００２６】
上述したように第１実施形態によれば、テラヘルツ波を利用してテラヘルツ認証カード１に組み込まれた物質を判別し、その特定した物質の組合せによって認証を行い、認証信号を出力する。これにより、その認証信号によって被制御装置１００を制御することができる。
【００２７】
［第２実施形態］
第２実施形態では、テラヘルツ認証カード１に組み込まれた物質の順列によって認証を行うようにする。第２実施形態に係る認証システムの構成は図１と同様である。以下、第１実施形態との差分を主に説明する。
【００２８】
図６は、第２実施形態に係る測定部２の構成を示すブロック図である。図６において、図３に対応する部分には同じ符号を付している。第２実施形態では、走査部３１を設ける。
カード装着部２１は、第１実施形態と同様であるが、装着場所に装着されたテラヘルツ認証カード１の同一平面内移動ができるようにする。
テラヘルツ波発生部２２は、第１実施形態と同様に、カード装着部２１から検知信号を受け取ると、予め定められた複数の周波数のテラヘルツ波２０１を順番に発生し照射するが、走査部３１からの指示があるまで同じ周波数のテラヘルツ波２０１を照射し続ける。テラヘルツ波発生部２２は、周波数が変わる毎に、テラヘルツ波２０１を照射中であることを走査部３１に通知する。テラヘルツ波検出部２３には、第１実施形態と同様に、テラヘルツ波２０１を照射中であることを通知する。
【００２９】
走査部３１は、カード装着部２１に在るテラヘルツ認証カード１を同一平面内移動させるように駆動する。走査部３１は、テラヘルツ波発生部２２から照射されたテラヘルツ波２０１がテラヘルツ認証カード１に組み込まれた物質の所定存在範囲を二次元的に走査するように、テラヘルツ認証カード１を同一平面内移動させる。これにより、テラヘルツ認証カード１に組み込まれた物質の所定存在範囲に対してテラヘルツ波を二次元的に走査しながら照射することができる。
【００３０】
走査部３１は、テラヘルツ波発生部２２からテラヘルツ波の照射中が通知されると、同一平面内移動を開始し同一平面内移動が終了すると、次の周波数のテラヘルツ波２０１を照射するようにテラヘルツ波発生部２２へ指示する。走査部３１は、テラヘルツ認証カード１の同一平面内移動に応じた走査信号をテラヘルツ波検出部２３に出力する。走査信号は、同一平面内座標を示す信号である。
【００３１】
テラヘルツ波検出部２３は、第１実施形態と同様に、テラヘルツ波発生部２２がテラヘルツ波２０１を照射中の期間においてテラヘルツ波を検出し、検出した信号をスペクトル算出部２４へ出力する。このとき、テラヘルツ波検出部２３は、走査部３１から受け取った走査信号と共にテラヘルツ波検出信号をスペクトル算出部２４へ出力する。
【００３２】
スペクトル算出部２４は、テラヘルツ波検出部２３から受け取った走査信号及びテラヘルツ波検出信号に基づいて、スペクトルの二次元分布を算出する。スペクトル算出部２４は、算出したスペクトルの二次元分布（以下、測定スペクトル二次元分布と称する）を判別部４に渡す。
【００３３】
判別部４は、測定部２から測定スペクトル二次元分布を受け取ると、固有スペクトルデータベース３中の固有スペクトルに基づいて、測定スペクトル二次元分布中に含まれる物質を判別し特定する。さらに、判別部４は、その特定した物質の固有スペクトル及び測定スペクトル二次元分布に基づいて、該特定物質間の二次元位置関係の順列を判断し特定する。判別部４は、その特定した物質の全てについての順列（特定物質の順列）を認証部６に通知する。
【００３４】
認証データベース５には、図７に示すように、テラヘルツ認証カード１に組み込まれた物質の順列が記録されている。図７の例では、例えば、「物質Ａ，Ｂ，Ｃ，Ｄ，Ｅ」、「物質Ａ，Ｂ，Ｃ，Ｅ，Ｄ」、「物質Ａ，Ｃ，Ｂ，Ｄ，Ｅ」などの順列が記録されている。
【００３５】
認証部６は、判別部４から特定物質の順列が通知されると、認証データベース５を検索する。そして、認証部６は、判別部４から通知された特定物質の順列が認証データベース５に記録されている場合に、認証信号２０２を被制御装置１００に出力する。被制御装置１００は、認証信号２０２を受け取ると、所定の動作を開始する。
【００３６】
図８は、第２実施形態に係るテラヘルツ認証カード１の構成を示す平面図である。図８（１）では、「物質Ａ，Ｂ，Ｃ，Ｄ，Ｅ」の順列の配置で、物質Ａ，Ｂ，Ｃ，Ｄ，Ｅがテラヘルツ認証カード１に組み込まれている。図８（２）では、「物質Ａ，Ｂ，Ｃ，Ｅ，Ｄ」の順列の配置で、物質Ａ，Ｂ，Ｃ，Ｄ，Ｅがテラヘルツ認証カード１に組み込まれている。このように、第２実施形態では、同じ組合せの物質Ａ，Ｂ，Ｃ，Ｄ，Ｅであっても、その順列の違いによって異なるテラヘルツ認証カード１を作成することができる。これにより、テラヘルツ認証カード１の発行枚数を拡大することができる。
【００３７】
上述したように第２実施形態によれば、テラヘルツ波を利用してテラヘルツ認証カード１に組み込まれた物質を判別し、その判別により特定した物質間の二次元位置関係の順列を判断し、その特定した物質の順列によって認証を行い、認証信号を出力する。これにより、その認証信号によって被制御装置１００を制御することができる。さらに、同じ物質の組合せであっても、その順列の違いによって異なるテラヘルツ認証カード１を作成することができるので、テラヘルツ認証カード１の発行枚数を拡大することができる。
【００３８】
なお、順列の先頭は、テラヘルツ認証カード１の装着方向を規定することで、判別することができる。或いは、順列の先頭は、予め特定の物質に定めておくことによって、判別するようにしてもよい。このようにすれば、テラヘルツ認証カード１の装着方向を規定する必要がなくなる。
【００３９】
［第３実施形態］
第３実施形態では、第１実施形態又は第２実施形態において、さらに、テラヘルツ波を利用した物質のイメージングを行って、テラヘルツ認証カード１を持っている人が、例えば、危険物を携帯していないか判別し、認証を行うようにする。
【００４０】
図９は、本発明の第３実施形態に係る認証システムの構成を示すブロック図である。図９において図１の各部に対応する部分には同一の符号を付している。第３実施形態では、イメージング部４１と画像照合部４２と画像データベース４３を設ける。
【００４１】
図１０は、図９に示すイメージング部４１の構成を示すブロック図である。図１０において、テラヘルツ波発生部５１は、テラヘルツ認証カード１を持っている人に向けてテラヘルツ波２０２を照射する。走査部５２は、該カード保持者に対してテラヘルツ波を二次元的に走査しながら照射するように、テラヘルツ波発生部５１の照射動作を制御する。走査部５２は、テラヘルツ波２０２の同一平面内における走査に応じた走査信号をテラヘルツ波検出部５３に出力する。走査信号は、同一平面内座標を示す信号である。
【００４２】
テラヘルツ波検出部５３は、テラヘルツ波発生部５１がテラヘルツ波２０２を照射中の期間においてテラヘルツ波を検出し、検出した信号をスペクトル算出部５４へ出力する。このとき、テラヘルツ波検出部５３は、走査部５２から受け取った走査信号と共にテラヘルツ波検出信号をスペクトル算出部５４へ出力する。
【００４３】
スペクトル算出部５４は、テラヘルツ波検出部５３から受け取った走査信号及びテラヘルツ波検出信号に基づいて、スペクトルの二次元分布を算出する。画像作成部５５は、そのスペクトルの二次元分布（測定スペクトル二次元分布）に基づいて、物質の形状を示す二次元画像を作成する。イメージング部４１は、画像作成部５５が作成した二次元画像の画像データを画像照合部４２に出力する。
【００４４】
説明を図９に戻す。
画像照合部４２は、イメージング部４１から画像データを受け取ると、画像データベース４３内の画像データと照合する。画像データベース４１は、イメージングによって作成された二次元画像と照合するための照合画像の画像データを格納している。照合画像としては、例えば、危険物に該当する物品の特徴を有する画像である。
【００４５】
画像照合部４２は、イメージング部４１から受け取った画像データと画像データベース４３内の画像データとの照合結果を認証部６ａに出力する。この照合結果としては、例えば、照合画像との一致又は不一致を表す値であってもよく、或いは、照合画像との類似度を表す段階的な値であってもよい。
【００４６】
認証部６ａは、第１実施形態又は第２実施形態と同様に、テラヘルツ認証カード１に含まれる物質の組合せ又は順列を判別部４から受け取り、該組合せ又は順列が認証データベース５に記録されているかを調べる。この結果、判別部４から受け取った組合せ又は順列が認証データベース５に記録されている場合には、認証部６ａは、画像照合部４２から受け取った照合結果が異常ありか異常なしかを所定の判定条件に従って判定する。
【００４７】
例えば、照合画像が危険物に対応した画像である場合にいおて、イメージング結果の画像と照合画像が一致もしくは類似しているときは、異常ありとする。この場合、照合結果が照合画像との一致又は不一致を表す値である場合には、照合結果が照合画像との一致を示すときに異常ありと判定し、照合結果が照合画像との不一致を示すときに異常なしと判定する。或いは、照合結果が照合画像との類似度を表す段階的な値である場合には、照合結果が一定以上の類似度を示すときに異常ありと判定し、照合結果が一定未満の類似度を示すときに異常なしと判定する。
【００４８】
認証部６ａは、画像照合部４２から受け取った照合結果が異常なしである場合に、認証信号２０２を被制御装置１００に出力する。被制御装置１００は、認証信号２０２を受け取ると、所定の動作を開始する。
【００４９】
例えば、被制御装置１００は、空港の入場ゲートの開閉装置である。この場合、照合画像として危険物に対応した画像を準備し、テラヘルツ認証カード１による個人認証に加えて、イメージング結果の画像と照合画像との照合結果に基づいて危険物の携帯の有無を判別する。これにより、テラヘルツ認証カード１による個人認証の成功、且つ、危険物の携帯なし（イメージング結果の画像と照合画像との照合結果が異常なし）である場合にのみ、空港の入場ゲートを開くように制御することができる。この結果、空港のセキュリティチェック性能が格段に向上する。
【００５０】
［第４実施形態］
図１１は、本発明の第４実施形態に係る認証システムの構成を示すブロック図である。図１１において図１の各部に対応する部分には同一の符号を付している。第４実施形態では、アクションデータベース６１とコマンド発信装置６２を設ける。
【００５１】
アクションデータベース６１は、認証部６の認証結果に応じて被制御装置がどのような動作を行うのかを示すアクション情報、を格納している。ここでの認証結果は、認証成功者のユーザＩＤである。アクションデータベース６は、ユーザＩＤ毎に、アクション情報を格納する。
【００５２】
コマンド発信装置６２は、認証部６から認証結果（認証成功者のユーザＩＤ）を受け取ると、該ユーザＩＤに基づいてアクションデータベース６１を検索し、検索結果のアクション情報をアクションデータベース６１から取得する。コマンド発信装置６２は、取得したアクション情報に対応するコマンドを該当の被制御装置（図１１には図示せず）へ送信する。被制御装置は、受け取ったコマンドに従って動作を行う。
【００５３】
アクションデータベース６１に格納するアクション情報は、ユーザＩＤ毎に、その動作内容を指定する。例えば、店舗の入り口のドアやイベント会場の入場ゲートを制御する場合において、あるユーザＩＤに対しては、ドアやゲートのロックを解除する。別のあるユーザＩＤに対しては、ドアやゲートのロック解除に加えて、音声メッセージ（例えば、“いらっしゃいませ、○○（ユーザの名前）様”）を再生する。また、別のあるユーザＩＤに対しては、ドアやゲートのロック解除に加えて、当該ユーザの顧客情報を店舗内の端末に画面表示する。などが挙げられる。他の例としては、ユーザＩＤに応じた情報を配信すること（例えば、デジタルサイネージ（Digital Signage））などが挙げられる。これ以外にも、セキュリティ分野、マーケティング分野など、各種の幅広い分野への適用が可能である。
【００５４】
なお、第４実施形態は、第１〜３の各実施形態と組み合わせることができる。
【００５５】
以上、本発明の実施形態について図面を参照して詳述してきたが、具体的な構成はこの実施形態に限られるものではなく、本発明の要旨を逸脱しない範囲の設計変更等も含まれる。
例えば、上述した実施形態では認証用可搬媒体としてカード型（テラヘルツ認証カード１）を例に挙げたが、本発明に係る認証用可搬媒体は、可搬可能な形状であればよく、カード型に限定されない。
【産業上の利用可能性】
【００５６】
本発明は各種の分野に適用することができる。以下に適用分野の例を挙げる。
（１）空港のセキュリティゲートへの適用
従来の空港のセキュリティゲートでは、搭乗者のチケットを人が確認した上で、金属探知機によって搭乗者が携帯する金属を検知すると共に、Ｘ線撮影によって搭乗者の手荷物を検査することにより、安全の確保を行っている。本発明を適用することにより、搭乗者が手荷物を持ったまま、テラヘルツ波の照射範囲になっているゲートをくぐるだけで、搭乗券（テラヘルツ認証カード）の確認と同時に危険物の所有チェック及び手荷物のチェックを行うことが可能になる。
【００５７】
（２）学校や会社等の事務所におけるセキュリティチェックへの適用
従来のＩＣカードによる認証では、生徒や事務書員はＩＣカードリーダにかざす必要がある。本発明を適用することにより、生徒や事務書員はテラヘルツ認証カードを単に携帯している状態で（例えば、ポケットやカバンの中に入れてある状態で）、テラヘルツ波の照射範囲になっているゲートをくぐれば、認証を行うことができる。これにより、友連れやカードのかざし忘れ等を防ぐことができる。
【００５８】
（３）マーケティング分野への適用
店舗接客システムにおいて、本発明により来店者のカードを認証することにより、個別の接客を可能にすることができる。
デジタルサイネージシステムにおいて、デジタルサイネージ付近にテラヘルツ認証カード所有者が近づくことにより、本発明によりデータベースを参照し最適な広告を表示することができる（マッチング広告が可能になる）。
【００５９】
（４）福祉分野への適用
身体の不自由な人がテラヘルツ認証カードを身につけることで、本発明によりテラヘルツ認証カードから情報を読み取り、ボタンを押す等の行為をしなくてもドアを開けたり、障害者に最適なサービスを提供するための情報を表示することが可能になる。
【図面の簡単な説明】
【００６０】
【図１】本発明の第１実施形態に係る認証システムの構成を示すブロック図である。
【図２】図１に示すテラヘルツ認証カード１の構成を示す平面図である。
【図３】図１に示す測定部２の構成を示すブロック図である。
【図４】図１に示す認証データベース５の構成例である。
【図５】図１に示す認証データベース５の他の構成例である。
【図６】本発明の第２実施形態に係る測定部２の構成を示すブロック図である。
【図７】本発明の第２実施形態に係る認証データベース５の構成例である。
【図８】本発明の第２実施形態に係るテラヘルツ認証カード１の構成を示す平面図である。
【図９】本発明の第３実施形態に係る認証システムの構成を示すブロック図である。
【図１０】図９に示すイメージング部４１の構成を示すブロック図である。
【図１１】本発明の第４実施形態に係る認証システムの構成を示すブロック図である。
【符号の説明】
【００６１】
１…テラヘルツ認証カード（認証用可搬媒体）、２…測定部、３…固有スペクトルデータベース、４…判別部、５…認証データベース、６…認証部、２１…カード装着部、２２，５１…テラヘルツ波発生部、２３，５３…テラヘルツ波検出部、２４，５４…スペクトル算出部、３１，５２…走査部、４１…イメージング部、４２…画像照合部、４３…画像データベース、５５…画像作成部、６１…アクションデータベース、６２…コマンド発信装置、１００…被制御装置、２０１，２０２…テラヘルツ波、２０２…認証信号
【図１】
0005186176.tif 000002
【図２】
0005186176.tif 000003
【図３】
0005186176.tif 000004
【図４】
0005186176.tif 000005
【図５】
0005186176.tif 000006
【図６】
0005186176.tif 000007
【図７】
0005186176.tif 000008
【図８】
0005186176.tif 000009
【図９】
0005186176.tif 000010
【図１０】
0005186176.tif 000011
【図１１】
0005186176.tif 000012